(57)【要約】  【課題】  多様なコネクタに装着可能なコネクタカバーを提供する。  【解決手段】  コネクタに装着される大径のコネクタ装着部１２と、電線のコネクタ根元近傍の外周に装着される小径の電線装着部１４と、上記コネクタ装着部１２と上記電線装着部１４とを連続一体に連結する縮径部１３とを薄肉の軟質樹脂で一体成形した、両端に開口部１５、１６を有する筒状体１１よりなり、上記筒状体１１の少なくともコネクタ装着部に、軸方向のプリーツＰを周方向に複数並設し、コネクタ装着部に収容するコネクタのサイズ、コネクタの個数が変化してもプリーツが拡縮することで対応可能としている。  【選択図】  図１
2005093091.tif 000002
【特許請求の範囲】
【請求項１】
ワイヤハーネスの電線の端末に接続された端子を挿入係止したコネクタに取り付けるコネクタカバーであって、
上記コネクタに装着される大径のコネクタ装着部と、上記電線のコネクタ根元近傍の外周に装着される小径の電線装着部と、上記コネクタ装着部と上記電線装着部とを連続一体に連結する縮径部とを、薄肉の軟質樹脂で一体成形した両端開口の筒状体よりなり、
上記筒状体の少なくも上記コネクタ装着部には軸方向にその全長にわたって折り目を設けたプリーツを周方向に複数並設していることを特徴とするコネクタカバー。
【請求項２】
上記電線装着部の開口端からコネクタ装着部の開口端まで全長にわたって上記プリーツを設けている請求項１に記載のコネクタカバー。
【請求項３】
上記プリーツは、外方へ２つ折り状に山部を突出させた形状とし、プリーツの間の谷部は広幅な平坦状とし、該谷部の幅を、上記縮径部において上記コネクタ装着部側端部から上記電線装着部側端部にかけて漸次的に縮幅して、上記電線装着部の谷部よりもコネクタ装着部の谷部を広くしている請求項２に記載のコネクタカバー。
【発明の詳細な説明】
【技術分野】
【０００１】
本発明は、自動車等に配索されるワイヤハーネスの電線端末に接続されたコネクタに用いられるコネクタカバーに関する。
【背景技術】
【０００２】
被水領域に配索するワイヤハーネスには、該ワイヤハーネスを構成する電線端末に接続されたコネクタにはコネクタカバーを被せてコネクタへの浸水を防止している。図９に示すように、この種のコネクタカバー１は、コネクタに被せられる断面矩形筒状のコネクタ装着部２と、コネクタに接続する電線に周着する電線装着部３と、小径の電線装着部４からコネクタ装着部２へと連続一体に連結する拡径部４とからなる。
【０００３】
また、従来、実開昭６４−４０７３号（特許文献１）では、図１０（Ａ）に示すように、電線装着部３の開口端部３ａから拡径部４のコネクタ側端部４ａにかけてスリット５を設けると共に、コネクタ装着部２の左右側壁にコネクタ装着部２の内周寸法を拡張させる拡張部２ａを設けることが提案されている。図１０（Ｂ）に示すように、上記スリット５を鰐口状に開くことにより、既に電線ｗの端末に接続したコネクタＣをそのまま挿入できると共に、拡張部２ａにより、コネクタ装着部２の内周が拡張し、コネクタＣも挿入しやすくすることができる。
【０００４】
さらに、実開平６−８８０６８号（特許文献２）では、図１１（Ａ）（Ｂ）に示すように、折りたたみ式で拡張可能なかさ状のコネクタ装着部２’と、バンド状の電線装着部３’と、軸線方向に対してほぼ垂直な拡径部４’とを備えた巻きつけ式のコネクタカバー１’を提案している。このコネクタカバー１’は、電線ｗおよびコネクタＣに巻きつけて装着するため、電線本数の多少にかかわらず使用することができるうえ、端子を挿入接続した状態のコネクタに取り付けることもできる。  
【０００５】
しかしながら、従来の前記図９に示すコネクタカバーは、その内部に収容するコネクタの数や、各コネクタの大きさに応じて専用部品として形成されており、よって、多品種のコネクタカバーを設けなければならず、コストアップの要因となっている。
また、図１０および図１１に示す実開昭６４−４０７３号、実開平６−８８０６８号で提案されているカバーも、コネクタカバーのコネクタへの装着作業を簡易化するものであり、あるいは、電線本数の多少に関わらず装着可能とするものであって、コネクタの多様な形状やサイズ、およびコネクタ数の多少に対応できるものではない。また、コネクタカバーの構造が複雑でコスト高となる問題もある。
【特許文献１】実開昭６４−４０７３号公報
【特許文献２】実開平６−８８０６８号公報
【発明の開示】
【発明が解決しようとする課題】
【０００６】
本発明は上記問題に鑑みてなされたものであり、コネクタの様々な形状やサイズ、およびコネクタ数の多少に対応可能なコネクタカバーの提供を課題とするものである。
【課題を解決するための手段】
【０００７】
上記課題を解決するため、本発明は、ワイヤハーネスの電線の端末に接続された端子を挿入係止したコネクタに取り付けるコネクタカバーであって、
上記コネクタに装着される大径のコネクタ装着部と、上記電線のコネクタ根元近傍の外周に装着される小径の電線装着部と、上記コネクタ装着部と上記電線装着部とを連続一体に連結する縮径部とを、薄肉の軟質樹脂で一体成形した両端開口の筒状体よりなり、
上記筒状体の少なくも上記コネクタ装着部には軸方向に全長にわたって折り目を設けたプリーツを周方向に複数並設していることを特徴とするコネクタカバーを提供している。
【０００８】
上記構成のコネクタカバーは、少なくともコネクタ装着部に全長にわたって形成された軸方向のプリーツが広がることにより、コネクタ装着部の内寸を容易に拡大することができる。また、該コネクタカバーは薄肉の軟質樹脂製であるため、径方向および周方向に柔軟に変形可能であるとともに、上記プリーツに復元力を持たせることがもきる。これにより、コネクタ装着部に収容するコネクタの大きさ、また、複数のコネクタをまとめてカバーする場合にはコネクタの個数が増減があっても、コネクタ装着部の大きさがコネクタ・サイズおよびコネクタの個数に応じて拡がるため、一つのコネクタカバーで対応することができ、コネクタカバーの共用化を図ることができる。
かつ、該コネクタカバーは、構造がシンプルで樹脂で一体成形しているため、低コストで製造できる。
さらに、コネクタカバーのコネクタ装着部は、収容するコネクタの大きさに応じて自動的に拡径するため、作業手数がかからない。
【０００９】
また、上記コネクタカバーでは、コネクタ装着部だけでなく、拡径部および電線装着部にも全長にわたってプリーツ部を設けてもよい。
この場合、電線本数増減にも対応させることができると共に、電線にコネクタを接続した状態で、コネクタ取付側の先端からコネクタカバーを被せることも可能となる。
【００１０】
上記プリーツは、外方へ２つ折り状に山部を突出させた形状とし、プリーツの間の谷部は広幅な平坦状とし、該谷部の幅を、上記縮径部において上記コネクタ装着部側端部から上記電線装着部側端部にかけて漸次的に縮幅して、上記電線装着部の谷部よりもコネクタ装着部の谷部を広幅とすることが好ましい。
このように、プリーツの間に平坦状の広幅の谷部を設け、ているため、この谷部がコネクタ外面や電線群の外周へ密着して、コネクタカバーの内部でガタつきなく保持できる。
【００１１】
なお、上記プリーツを、Ｖ形状の山部を全周に連続して形成し、折り目を縮径部において電線装着部側からコネクタ装着部側にかけて漸次的に高くして、電線装着部の山の折り目よりもコネクタ装着部の山の折り目が高くなるように形成してもよい。
【発明の効果】
【００１２】
上述した如く、本発明によれば、コネクタカバーの少なくともコネクタ装着部、好ましくは、一端の電線装着部の開口端から他端のコネクタ装着部の開口端まで全長にわたって軸方向に連続したプリーツを全周方向に並列して形成しているため、コネクタ装着部に収容するコネクタの大きさ、あるいはコネクタの個数に応じて拡大でき、同一形状のコネクタカバーを共用することができ、多品種化を抑制できる。
【発明を実施するための最良の形態】
【００１３】
本発明の実施形態を図面を参照して説明する。
図１乃至図７は、本発明の第１実施形態に係るコネクタカバー１０を示す。
コネクタカバー１０は、車両に配索されるワイヤハーネスを構成する電線ｗの端末に接続された端子Ｔを挿入係止した１つのコネクタＣに装着するものである。
【００１４】
上記コネクタカバー１０は、コネクタＣに被せる大径のコネクタ装着部１２と、該コネクタＣの根元近傍の電線ｗの外周に被せる小径の電線装着部１４と、該コネクタ装着部１２と電線装着部１４とを連結する縮径部１３とを連続的に備え、両端に開口部１５、１６を有する筒状体１１よりなる。
【００１５】
上記筒状体１１は薄肉の軟質樹脂で一体成形しており、軸方向に、その全長に連続した軸方向のプリーツＰ（Ｐ１、Ｐ２、Ｐ３・・・）を全周にわたって並設している。各プリーツＰは外方に向けて２つ折りして、折り目Ｐａを突出させた形状としている。これら、プリーツＰの間には平坦状とした谷部Ｒ（Ｒ１、Ｒ２、Ｒ３、Ｒ４、・・・・）を設けている。谷部Ｒ１、Ｒ２、Ｒ３・・・の幅Ｗ１は、図４に示すように、縮径部１３において、コネクタ装着部側端部１３ａから電線装着部側端部１３ｂにかけて漸次的に縮幅し、電線装着部１４の谷部Ｒ１の幅Ｗｂよりもコネクタ装着部１２の谷部Ｒ１の幅Ｗａの方を大寸としている。なお、この谷部Ｒの幅Ｗは、周方向にはいずれも同一、即ち、Ｗ１＝Ｗ２＝Ｗ３＝・・・・としている。
【００１６】
上記構成のコネクタカバー１０を端子Ｔを挿入係止したコネクタＣに被せる場合、図５（Ａ）に示すように、上記プリーツＰを広げ筒状体１１の内径を押し広げて、コネクタＣおよび電線ｗを電線側開口部１６に挿入し、図５（Ｂ）に示すように、コネクタＣの根元位置に縮径部１３が当たり、コネクタＣにコネクタ装着部１２が、電線ｗに電線装着部１４が被さる位置で、筒状体１１のプリーツＰの拡張を解いて復元させる。かつ、この状態で電線装着部１４の外周面から電線群にかけてテープ巻きを施してコネクタカバー１０を固定している。
【００１７】
上記構成のコネクタカバー１０は、構造がシンプルで一体成形されているため、製造コストを抑えることができる。また、該コネクタカバー１０は、薄肉の軟質樹脂製であるため、プリーツＰを広げることによって図６（Ａ）（Ｂ）に示すように内径を拡大することができ、コネクタＣおよび電線Ｗの外面に沿わせることができる。よって、コネクタＣの大きさが相違してもプリーツＰの拡がりが相違するだけであり、大きさの相違するコネクタＣにも共用することができる。
【００１８】
また、軟質樹脂で形成されたプリーツＰは復元力を有し、プリーツＰの間の谷部ＲがコネクタＣおよび電線ｗに密着するため、コネクタカバー１０内でコネクタＣのガタ付きなく保持できる。さらに、電線装着部１４の谷部Ｒの幅Ｗｂよりもコネクタ装着部１２の谷部Ｒの幅Ｗａを大寸としていることによって、特にコネクタＣへのコネクタ装着部１２の密着面積を増大させることができる。
【００１９】
さらにまた、各プリーツＰ１、Ｐ２・・・がそれぞれ軸方向の全長にわたって設けているため、コネクタカバー１０の内寸を、コネクタ装着部１２から電線装着部１４まで一体に広げることができ、コネクタＣおよび電線ｗへのコネクタカバー１０の装着作業が非常に容易となる。
【００２０】
さらに、上記コネクタカバー１０内に、小さいサイズのコネクタを複数収容することもできる。即ち、図７（Ａ）では２個のコネクタＣ１とＣ２を収容し、図７（Ｂ）では、Ｃ１、Ｃ２、Ｃ３、Ｃ４と３つのコネクタを収容している。
【００２１】
図８は第２実施形態を示し、プリーツＰは電線装着部１４’には設けず、拡径部１３’からコネクタ装着部１２’にかけて軸方向に形成している。また、外向きに２つ折りした山型状のプリーツＰを周方向に連続して設け、平坦な谷部を設けていない。
この場合、コネクタカバー１０’は、電線端末へのコネクタＣの取付前に、電線群の先端より電線装着部１４を電線群に通しておき、コネクタカバー１０’のコネクタ装着部１２’より電線端末を引き出し、その先端の端子をコネクタに挿入係止している。その後、コネクタカバー１０’をコネクタ側へと引き戻すと、コネクタ装着部１２’および拡径部１３’のプリーツをコネクタの大きさに応じて拡がることとなる。
即ち、図８（Ａ）に示すように、小型のコネクタＣ１’を収容した場合には、プリーツＰの開き角度が狭く、図８（Ｂ）に示すように大型コネクタＣ２’を収容した場合にはプリーツＰの開き角度が大となる。
【００２２】
なお、拡径部１３をある程度大きく形成しておく場合には、プリーツはコネクタ装着部にのみ形成してもよい。
【図面の簡単な説明】
【００２３】
【図１】本発明の第１実施形態にかかるコネクタカバーの全体斜視図である。
【図２】図１に示すコネクタカバーのコネクタ装着部側の拡大側面図である。
【図３】図１に示すコネクタカバーの電線装着部側の拡大側面図である。
【図４】図１に示すコネクタカバーの上面図である。
【図５】（Ａ）（Ｂ）は、図１に示すコネクタカバーをコネクタに取り付ける作業を示す図である。
【図６】図１に示すコネクタカバーのコネクタへの装着前および装着後の状態を示し、（Ａ）をコネクタ装着部の断面図であり、（Ｂ）は電線装着部の断面図である。
【図７】（Ａ）は図１に示すコネクタカバーを少数のコネクタに装着した状態を示す正面図であり、（Ｂ）は多数のコネクタに装着した状態を示す正面図である。
【図８】（Ａ）（Ｂ）は第２実施形態を示す図面である。
【図９】従来例を示す図面である。
【図１０】他の従来例の図である。
【図１１】他の従来例の図である。
【符号の説明】
【００２４】
１０  コネクタカバー
１１  筒状体
１２  コネクタ装着部
１３  縮径部
１４  電線装着部
Ｐ（Ｐ１、Ｐ２、…）  プリーツ
Ｒ（Ｒ１，Ｒ２…）    谷部  
Ｃ  コネクタ
ｗ  電線
【図１】
2005093091.tif 000003
【図２】
2005093091.tif 000004
【図３】
2005093091.tif 000005
【図４】
2005093091.tif 000006
【図５】
2005093091.tif 000007
【図６】
2005093091.tif 000008
【図７】
2005093091.tif 000009
【図８】
2005093091.tif 000010
【図９】
2005093091.tif 000011
【図１０】
2005093091.tif 000012
【図１１】
2005093091.tif 000013